(57)【特許請求の範囲】
【請求項１】
移動体内に設けられ、それぞれメモリ内の前記移動体の位置情報及び該位置情報に対応付けられた前記移動体内におけるいずれかの領域を示す配置情報を含むデータを通信圏内にある前記移動体内の通信端末に対して非接触で送信することにより、前記移動体の位置ごとに前記移動体内の複数の領域のそれぞれにおける通信端末の数を算出する情報収集装置まで前記移動体内の通信端末を介して転送させる複数のタグと、
前記移動体の移動状況に応じて変化する現在位置情報を取得する取得手段と、
前記取得手段によって取得された前記現在位置情報を前記位置情報として、前記複数のタグの各々のタグのメモリに格納する格納手段と、
を備えることを特徴とする情報提供装置。
【請求項２】
前記取得手段は、
一定時間ごとに前記移動体の現在位置情報を取得し、
前記格納手段は、
前記取得手段によって前記移動体の現在位置情報が取得されるごとに、前記現在位置情報を前記複数のタグの各々のタグのメモリに格納し、
前記複数のタグは、
前記格納手段によって格納された現在位置情報のうちの最新の現在位置情報を含む前記メモリ内のデータを通信圏内にある前記移動体内の通信端末に対して非接触で送信することを特徴とする請求項１に記載の情報提供装置。
【請求項３】
前記複数のタグの各々のタグのメモリには、前記移動体に固有の識別情報が格納されていることを特徴とする請求項２に記載の情報提供装置。
【請求項４】
移動体内に設けられ、それぞれメモリ内の前記移動体の位置情報及び該位置情報に対応付けられた前記移動体内におけるいずれかの領域を示す配置情報を含むデータを通信圏内にある前記移動体内の通信端末に対して非接触で送信する複数のタグと、前記移動体の移動状況に応じて変化する現在位置情報を取得する取得手段と、前記取得手段によって取得された前記現在位置情報を前記位置情報として、前記複数のタグの各々のタグのメモリに格納する格納手段と、を備える情報提供装置を有する前記移動体についての情報を収集する情報収集装置であって、
前記複数のタグのタグごとに前記通信圏内にある前記通信端末に送信された前記移動体の前記現在位置情報及び前記配置情報を、前記通信圏内にある前記通信端末から受信する受信手段と、
前記受信手段によって受信された前記現在位置情報及び前記配置情報の数に基づいて、前記現在位置情報が示す位置ごとに前記移動体内の複数の領域のそれぞれにおける前記通信端末の数を算出する算出手段と、
前記算出手段によって算出された算出結果を出力する出力手段と、
を備えることを特徴とする情報収集装置。
【請求項５】
前記受信手段は、
前記複数のタグの各々のタグのメモリに前記移動体に固有の識別情報が記憶されている場合、前記複数のタグのタグごとに前記通信圏内にある前記通信端末に送信された前記移動体の前記現在位置情報および前記移動体に固有の識別情報を、前記通信圏内にある前記通信端末から受信し、
前記算出手段は、
前記受信手段によって受信された前記移動体に固有な識別情報ごとに、前記現在位置情報の数に基づいて、前記移動体内の前記複数の領域のそれぞれにおける前記通信端末の数を算出することを特徴とする請求項４に記載の情報収集装置。
【請求項６】
移動体内に設けられ、メモリ内のデータを非接触で送信する複数のタグが前記移動体の現在位置情報を送信するごとに、前記複数のタグのうちのいずれかのタグから前記移動体の現在位置情報を受信する受信手段と、
前記受信手段によって受信された現在位置情報群を記憶する記憶装置から、最新となる第１の現在位置情報と、前記現在位置情報群から前記第１の現在位置情報以外の第２の現在位置情報と、を抽出する抽出手段と、
前記抽出手段によって抽出された前記第１の現在位置情報と前記第２の現在位置情報とを送信する送信手段と、
を備えることを特徴とする通信端末。
【請求項７】
移動体内に設けられ、それぞれメモリ内の前記移動体の位置情報及び該位置情報に対応付けられた前記移動体内におけるいずれかの領域を示す配置情報を含むデータを通信圏内にある前記移動体内の複数の領域のそれぞれにおける通信端末に対して非接触で送信することにより、前記移動体の位置ごとに前記移動体内の通信端末の数を算出する情報収集装置まで前記移動体内の通信端末を介して転送させる複数のタグを備える情報提供装置が、
前記移動体の移動状況に応じて変化する現在位置情報を取得する取得工程と、
前記取得工程によって取得された前記現在位置情報を前記位置情報として、前記複数のタグの各々のタグのメモリに格納する格納工程と、
を実行することを特徴とする情報提供方法。
【請求項８】
移動体内に設けられ、それぞれメモリ内の前記移動体の位置情報及び該位置情報に対応付けられた前記移動体内におけるいずれかの領域を示す配置情報を含むデータを通信圏内にある前記移動体内の通信端末に対して非接触で送信する複数のタグと、前記移動体の移動状況に応じて変化する現在位置情報を取得する取得手段と、前記取得手段によって取得された前記現在位置情報を前記位置情報として、前記複数のタグの各々のタグのメモリに格納する格納手段と、を備える情報提供装置を有する前記移動体についての情報を収集する情報収集装置が、
前記複数のタグのタグごとに前記通信圏内にある前記通信端末に送信された前記移動体の前記現在位置情報及び配置情報を、前記通信圏内にある前記通信端末から受信する受信工程と、
前記受信工程によって受信された前記現在位置情報及び前記配置情報の数に基づいて、前記現在位置情報が示す位置ごとに前記移動体内の複数の領域のそれぞれにおける前記通信端末の数を算出する算出工程と、
前記算出工程によって算出された算出結果を出力する出力工程と、
を実行することを特徴とする情報収集方法。
【請求項９】
コンピュータが、
移動体内に設けられ、メモリ内のデータを非接触で送信する複数のタグが前記移動体の現在位置情報を送信するごとに、前記複数のタグのうちのいずれかのタグから前記移動体の現在位置情報を受信する受信工程と、
前記受信工程によって受信された現在位置情報群を記憶する記憶装置から、最新となる第１の現在位置情報と、前記現在位置情報群から前記第１の現在位置情報以外の第２の現在位置情報と、を抽出する抽出工程と、
前記抽出工程によって抽出された前記第１の現在位置情報と前記第２の現在位置情報とを送信する送信工程と、
を実行することを特徴とする通信方法。
【請求項１０】
移動体内に設けられ、それぞれメモリ内の前記移動体の位置情報及び該位置情報に対応付けられた前記移動体内におけるいずれかの領域を示す配置情報を含むデータを通信圏内にある前記移動体内の通信端末に対して非接触で送信することにより、前記移動体の位置ごとに前記移動体内の複数の領域のそれぞれにおける通信端末の数を算出する情報収集装置まで前記移動体内の通信端末を介して転送させる複数のタグを備える情報提供装置に、
前記移動体の移動状況に応じて変化する現在位置情報を取得する取得工程と、
前記取得工程によって取得された前記現在位置情報を、前記複数のタグの各々のタグのメモリに格納する格納工程と、
を実行させることを特徴とする情報提供プログラム。
【請求項１１】
移動体内に設けられ、それぞれメモリ内の前記移動体の位置情報及び該位置情報に対応付けられた前記移動体内におけるいずれかの領域を示す配置情報を含むデータを通信圏内にある前記移動体内の通信端末に対して非接触で送信する複数のタグと、前記移動体の移動状況に応じて変化する現在位置情報を取得する取得手段と、前記取得手段によって取得された前記現在位置情報を、前記複数のタグの各々のタグのメモリに格納する格納手段と、を備える情報提供装置を有する前記移動体についての情報を収集する情報収集装置に、
前記複数のタグのタグごとに前記通信圏内にある前記通信端末に送信された前記移動体の前記現在位置情報及び配置情報を、前記通信圏内にある前記通信端末から受信する受信工程と、
前記受信工程によって受信された前記現在位置情報及び前記配置情報の数に基づいて、前記現在位置情報が示す位置ごとに前記移動体内の複数の領域のそれぞれにおける前記通信端末の数を算出する算出工程と、
前記算出工程によって算出された算出結果を出力する出力工程と、
を実行させることを特徴とする情報収集プログラム。
【請求項１２】
移動体内に設けられ、メモリ内のデータを非接触で送信する複数のタグが前記移動体の現在位置情報を送信するごとに、前記複数のタグのうちのいずれかのタグから前記移動体の現在位置情報を受信する受信工程と、
前記受信工程によって受信された現在位置情報群を記憶する記憶装置から、最新となる第１の現在位置情報と、前記現在位置情報群から前記第１の現在位置情報以外の第２の現在位置情報と、を抽出する抽出工程と、
前記抽出工程によって抽出された前記第１の現在位置情報と前記第２の現在位置情報とを送信する送信工程と、
をコンピュータに実行させることを特徴とする通信プログラム。
【発明の詳細な説明】
【技術分野】
【０００１】
本発明は、情報の提供や収集をおこなう情報提供装置、情報収集装置、通信端末、情報提供方法、情報収集方法、通信方法、情報提供プログラム、情報収集プログラムおよび通信プログラムに関する。
【背景技術】
【０００２】
特定の場所や領域（例えば、デパートの売場や遊園地の施設）の混雑状況や利用者の動向を取得することは、その場所や領域への人員の配置を適確におこなうために重要である。また、取得した混雑情況を、その場所や領域の利用者に提供することによって、利用者の利便性を向上させることができる。
【０００３】
従来では、特定の場所や領域に設けられたゲートの通過人数を計測することにより、混雑状況や利用者の動向を把握する技術がある。また、特定の場所や領域の付近の基地局に接続している携帯端末数を計測することにより、混雑状況や利用者の動向を把握する技術がある。また、カメラによる顔認識数を計測することにより、混雑状況や利用者の動向を把握する技術がある。
【０００４】
しかし、ゲートの通過人数を計測する技術、および基地局に接続している携帯端末数を計測する技術では、狭い範囲での人数を把握できない。また、カメラによる顔認識数を計測する技術では、技術の適用場所がカメラの設置場所に限られ、カメラの設置場所に制限がある場合は実施が困難である。
【０００５】
そのため、短距離無線を用いて携帯端末と通信を行い、狭い通信圏内での携帯端末数を計測することにより、狭い範囲での混雑状況や利用者の動向を把握する技術がある（例えば、下記特許文献１参照）。
【０００６】
また、ＲＦＩＤ（Ｒａｄｉｏ  Ｆｒｅｑｕｅｎｃｙ  ＩＤｅｎｔｉｆｉｃａｔｉｏｎ）に位置情報を記憶させておく。そして、ＲＦＩＤの通信圏内にある携帯端末が、ＲＦＩＤから読み出した位置情報を管理センターに送信する。これにより、管理センターにおいて、携帯端末の位置を認識して、狭い範囲での混雑状況や利用者の動向を把握する技術がある（例えば、下記特許文献２参照）。
【０００７】
また、関連する技術としては、過去の電車の遅延事例に基づいて求めた最短経路候補をユーザに提供する技術がある（例えば、下記特許文献３参照）。
【先行技術文献】
【特許文献】
【０００８】
【特許文献１】特開２０１０−１０２５１４号公報
【特許文献２】特開２００５−１９６６１０号公報
【特許文献３】特開２００７−３０３９１８号公報
【発明の概要】
【発明が解決しようとする課題】
【０００９】
しかしながら、上述した従来技術では、混雑状況や利用者の動向を取得する対象となる特定の領域が、移動体内の領域である場合については、実現されていないという問題があった。
【００１０】
本発明は、上述した従来技術による問題点を解消するため、移動体内の人数を把握できる情報提供装置、情報収集装置、通信端末、情報提供方法、情報収集方法、通信方法、情報提供プログラム、情報収集プログラムおよび通信プログラムを提供することを目的とする。
【課題を解決するための手段】
【００１１】
上述した課題を解決し、目的を達成するため、本発明の一側面によれば、移動体内に設けられ、それぞれメモリ内のデータを通信圏内にある移動体内の通信端末に対して非接触で送信する複数のタグを備え、移動体の現在位置情報を取得し、取得された現在位置情報を、複数のタグの各々のタグのメモリに格納する情報提供装置、情報提供方法、および情報提供プログラムが提案される。
【００１２】
また、上述した課題を解決し、目的を達成するため、本発明の一側面によれば、移動体内に設けられ、それぞれメモリ内のデータを通信圏内にある移動体内の通信端末に対して非接触で送信する複数のタグと、移動体の現在位置情報を取得し、取得された現在位置情報を、複数のタグの各々のタグのメモリに格納する情報提供装置を有する移動体についての情報を収集する情報収集装置であって、複数のタグのタグごとに通信圏内にある通信端末に送信された移動体の現在位置情報を、通信圏内にある通信端末から受信し、受信された現在位置情報の数に基づいて、移動体内の通信端末の数を算出し、算出結果を出力する情報収集装置、情報収集方法、および情報収集プログラムが提案される。
【００１３】
また、上述した課題を解決し、目的を達成するため、本発明の一側面によれば、移動体内に設けられ、メモリ内のデータを非接触で送信する複数のタグが移動体の現在位置情報を送信するごとに、複数のタグのうちのいずれかのタグから移動体の現在位置情報を受信し、受信された現在位置情報群を記憶する記憶装置から、最新となる第１の現在位置情報と、現在位置情報群から第１の現在位置情報以外の第２の現在位置情報と、を抽出し、抽出された第１の現在位置情報と第２の現在位置情報とを送信する通信端末、通信方法、および通信プログラムが提案される。
【発明の効果】
【００１４】
本発明の一側面によれば、移動体における人数を把握することができるという効果を奏する。
【図面の簡単な説明】
【００１５】
【図１】図１は、移動体内の人数の計測の内容を示す説明図である。
【図２】図２は、タグ情報に識別情報や配置情報を含む場合の人数の計測の具体例を示す説明図である。
【図３】図３は、実施の形態にかかる情報提供装置１１０のハードウェア構成例を示すブロック図である。
【図４】図４は、タグ情報の内容を示す説明図である。
【図５】図５は、実施の形態にかかる携帯端末ＭＴのハードウェア構成例を示すブロック図である。
【図６】図６は、移動履歴の内容を示す説明図である。
【図７】図７は、実施の形態にかかるサーバＳのハードウェア構成例を示すブロック図である。
【図８】図８は、位置情報ＤＢの内容を示す説明図である。
【図９】図９は、最新人数テーブルの内容を示す説明図である。
【図１０】図１０は、情報提供装置１１０の機能的構成例を示すブロック図である。
【図１１】図１１は、携帯端末ＭＴの機能的構成例を示すブロック図である。
【図１２】図１２は、サーバＳの機能的構成例を示すブロック図である。
【図１３】図１３は、サーバＳによる最新人数テーブルの更新の具体例を示す説明図である。
【図１４】図１４は、基地局ＢＳの負荷分散をおこなう場合の具体例を示す説明図である。
【図１５】図１５は、アクティブタグＡＴによる位置情報の更新処理の詳細を示すフローチャートである。
【図１６】図１６は、アクティブタグＡＴによる位置情報の再集計処理の詳細を示すフローチャートである。
【図１７】図１７は、携帯端末ＭＴによる移動履歴の送信処理の詳細を示すフローチャートである。
【図１８】図１８は、サーバＳによる最新人数テーブルの更新処理の詳細を示すフローチャートである。
【発明を実施するための形態】
【００１６】
以下に添付図面を参照して、この発明にかかる情報提供装置、情報収集装置、通信端末、情報提供方法、情報収集方法、通信方法、情報提供プログラム、情報収集プログラムおよび通信プログラムの実施の形態を詳細に説明する。
【００１７】
（移動体内の人数の計測の内容）
まず、図１を用いて、移動体内の人数の計測の内容について説明する。図１は、移動体内の人数の計測の内容を示す説明図である。図１では、移動体１００が鉄道車両であって、「Ａ駅」から「Ｂ駅」を経由して「Ｃ駅」に移動した場合を例に挙げて、情報収集装置による各駅における移動体１００内の人数の計測について説明する。ここでは、移動体１００は鉄道車両であるとするが、移動体１００は、車両、船、飛行機であってもよい。
【００１８】
移動体１００には、移動体１００の床面Ｆに埋め込まれたアクティブタグＡＴを含み、移動体１００の位置情報を取得する機能を有する情報提供装置１１０が搭載されている。移動体１００内には、通信端末が存在する。通信端末は、例えば、乗客の所有する携帯端末ＭＴである。また、携帯端末ＭＴと通信可能な情報収集装置が存在する。情報収集装置は、例えば、移動体１００外にあるサーバＳであり、基地局ＢＳを介して、携帯端末ＭＴと通信可能になっている。
【００１９】
ここで、情報提供装置１１０は、移動体１００の位置情報を取得し、取得した位置情報をアクティブタグＡＴのメモリに格納する。床面ＦのアクティブタグＡＴは、それぞれの通信圏Ｅが重ならない距離に配置されている。アクティブタグＡＴは、情報提供装置１１０が取得した移動体１００の位置情報を含むタグ情報を記憶し、通信圏Ｅ内の携帯端末ＭＴに一定時間ごとにタグ情報を送信する。また、タグ情報は、移動体１００に固有の識別情報や移動体１００内におけるアクティブタグＡＴが配置されている領域を示す配置情報を含んでもよい。
【００２０】
携帯端末ＭＴは、アクティブタグＡＴから受信したタグ情報を、近傍の基地局ＢＳを介して、サーバＳに送信する。また、携帯端末ＭＴは、受信するタグ情報の変化に基づいて自端末の移動を検出し、移動前のタグ情報と移動後のタグ情報とを含む移動履歴を作成して、作成した移動履歴をサーバＳに送信することにしてもよい。
【００２１】
また、サーバＳは、携帯端末ＭＴから受信したタグ情報に基づいて、タグ情報内の位置情報が示す位置における移動体１００内の携帯端末ＭＴ数を計測することにより、タグ情報内の位置情報が示す位置における移動体１００内の人数を算出する。
【００２２】
また、タグ情報に識別情報が含まれる場合、サーバＳは、タグ情報内の位置情報が示す位置に複数移動体が存在する場合に、移動体ごとに携帯端末数を計測することができる。また、タグ情報に配置情報が含まれる場合、サーバＳは、タグ情報内の位置情報が示す位置に存在する移動体１００内において、移動体１００内の人数を配置情報が示す領域ごとに算出することができる。さらに、携帯端末ＭＴから移動履歴を受信した場合、サーバＳは、移動体１００内における携帯端末ＭＴの移動方向を計測することもできる。
【００２３】
（１）具体的には、まず、移動体１００が「Ａ駅」に存在する場合、情報提供装置１１０は、移動体１００の位置情報として「Ａ駅」を取得する。そして、各アクティブタグＡＴに取得した位置情報を送信する。（２）アクティブタグＡＴは、送信された位置情報に基づいてタグ情報を更新すると、通信圏Ｅ内の携帯端末ＭＴに更新したタグ情報を送信する。
【００２４】
タグ情報を受信した携帯端末ＭＴは、タグ情報を基地局ＢＳを介してサーバＳに送信する。ここで、移動体１００内に存在する全携帯端末ＭＴがタグ情報を送信すると、サーバＳは移動体１００内の携帯端末ＭＴ数と同数のタグ情報を受信することになる。そのため、サーバＳは、受信したタグ情報の個数を計測することにより、携帯端末ＭＴ数を計測し、移動体１００内の人数を計測できる。
【００２５】
ここでは、移動体１００内の乗客は１人であり、１人の乗客の携帯端末ＭＴからタグ情報が送信される。そして、サーバＳは、「Ａ駅」を示すタグ情報を１つ受信して、「Ａ駅」における携帯端末ＭＴ数を１個と判断し、「Ａ駅」の人数は１人であると計測する。
【００２６】
（３）次に、移動体１００が「Ａ駅」から「Ｂ駅」に移動すると、情報提供装置１１０は、移動体１００の位置情報として、「Ｂ駅」を取得する。そして、各アクティブタグＡＴに取得した位置情報を送信する。（４）アクティブタグＡＴは、送信された位置情報に基づいてタグ情報を更新すると、通信圏Ｅ内の携帯端末ＭＴに更新したタグ情報を送信する。
【００２７】
タグ情報を受信した携帯端末ＭＴは、タグ情報を基地局ＢＳを介してサーバＳに送信する。ここでは、移動体１００内の乗客は１人であり、１人の乗客の携帯端末ＭＴからタグ情報が送信される。そして、サーバＳは、「Ｂ駅」を示すタグ情報を１つ受信して、「Ｂ駅」における携帯端末ＭＴ数を１個と判断し、「Ｂ駅」の人数は１人であると計測する。
【００２８】
（５）次に、移動体１００が「Ｂ駅」から「Ｃ駅」に移動すると、情報提供装置１１０は、移動体１００の位置情報として、「Ｃ駅」を取得する。そして、各アクティブタグＡＴに取得した位置情報を送信する。（６）アクティブタグＡＴは、送信された位置情報に基づいてタグ情報を更新すると、通信圏Ｅ内の携帯端末ＭＴに更新したタグ情報を送信する。
【００２９】
タグ情報を受信した携帯端末ＭＴは、タグ情報を基地局ＢＳを介してサーバＳに送信する。ここで、「Ｃ駅」において、移動体１００に２人の乗客が乗車したとする。この場合、移動体１００内の乗客は３人となり、３人の乗客の携帯端末ＭＴからタグ情報が送信される。そして、サーバＳは、「Ｃ駅」を示すタグ情報を３つ受信して、「Ｃ駅」における携帯端末ＭＴ数を３個と判断し、「Ｃ駅」の人数は３人であると計測する。
【００３０】
このように、サーバＳは、各駅における移動体１００内の人数を計測することができる。これにより、サーバＳは、移動体の移動に伴う混雑状況の変化を把握することができる。次に、図２を用いて、タグ情報に移動体１００に固有の識別情報や移動体１００内におけるアクティブタグＡＴが配置されている領域を示す配置情報を含む場合の人数の計測について説明する。
【００３１】
（タグ情報に識別情報や配置情報を含む場合の人数の計測）
図２は、タグ情報に識別情報や配置情報を含む場合の人数の計測の具体例を示す説明図である。図２では、タグ情報には、位置情報に加えて、識別情報として列車識別番号と、配置情報としてアクティブタグＡＴが配置された号車番号と領域名と、が含まれている。
【００３２】
具体的には、エリアＡ１に配置されたアクティブタグＡＴのタグ情報には、例えば、位置情報として「Ａ駅」、識別情報として「列車ＸＸＸ」、配置情報として「１号車の前方ドア付近」が含まれている。また、エリアＡ２に配置されたアクティブタグＡＴのタグ情報には、「Ａ駅、列車ＸＸＸ、１号車の座席付近」が含まれている。
【００３３】
エリアＡ３に配置されたアクティブタグＡＴのタグ情報には、「Ａ駅、列車ＸＸＸ、１号車の後方ドア付近」が含まれている。エリアＡ４に配置されたアクティブタグＡＴのタグ情報には、「Ａ駅、列車ＸＸＸ、２号車の前方ドア付近」が含まれている。
【００３４】
タグ情報が識別情報を含むことにより、サーバＳは、例えば、「Ａ駅」に存在する移動体１００が複数ある場合であっても、各移動体１００を識別して人数を計測することができる。また、タグ情報が配置情報を含むことにより、サーバＳは、例えば、「Ａ駅」に存在する移動体１００内の人数を、領域ごとに詳細に計測することができる。そのため、サーバＳは、移動体１００内の人数の分散を計測することができる。
【００３５】
ここで、携帯端末ＭＴが、受信するタグ情報の変化に基づいて移動を検出し、移動前のタグ情報と移動後のタグ情報とを含む移動履歴を作成して、サーバＳに送信するようにしてもよい。この場合、サーバＳは、移動体１００内の乗客の移動方向を計測することができる。
【００３６】
具体的には、図２に示すように、乗客がエリアＡ２からエリアＡ１に移動した場合、携帯端末ＭＴは、まず、エリアＡ２において、「Ａ駅、列車ＸＸＸ、１号車の座席付近」というタグ情報を受信する。次に、移動先のエリアＡ１において、「Ａ駅、列車ＸＸＸ、１号車の前方ドア付近」というタグ情報を受信する。
【００３７】
そして、携帯端末ＭＴは、移動を検出し、移動履歴として移動前のタグ情報「Ａ駅、列車ＸＸＸ、１号車の座席付近」と移動後のタグ情報「Ａ駅、列車ＸＸＸ、１号車の前方ドア付近」を対応付けたレコードを作成して、サーバＳに送信する。これにより、サーバＳは、１号車の乗客の座席付近から前方ドア付近への移動方向を計測することができる。
【００３８】
ただし、アクティブタグＡＴのタグ情報には、識別情報と配置情報に代えて、アクティブタグＡＴに固有の識別情報を含むようにしてもよい。そして、サーバＳが、アクティブタグＡＴの識別情報とアクティブタグＡＴの配置された列車識別番号と号車番号と領域名を対応付けて記憶しておき、受信したタグ情報内のアクティブタグＡＴの識別情報に対応する列車識別番号と号車番号と領域名を特定してもよい。
【００３９】
（情報提供装置１１０のハードウェア構成例）
図３は、実施の形態にかかる情報提供装置１１０のハードウェア構成例を示すブロック図である。図３において、情報提供装置１１０は、ＣＰＵ（Ｃｅｎｔｒａｌ  Ｐｒｏｃｅｓｓｉｎｇ  Ｕｎｉｔ）３０１と、ＲＯＭ（Ｒｅａｄ‐Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、Ｉ／Ｆ（Ｉｎｔｅｒｆａｃｅ）３０４と、複数のアクティブタグＡＴと、を備えている。また、各構成部はバス３１０によってそれぞれ接続されている。
【００４０】
ここで、ＣＰＵ３０１は、携帯端末ＭＴの全体の制御を司る。ＲＯＭ３０２は、ブートプログラムなどのプログラムを記憶している。ＲＡＭ３０３は、ＣＰＵ３０１のワークエリアとして使用される。
【００４１】
Ｉ／Ｆ３０４は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク３３０に接続され、このネットワーク３３０を介して他の装置に接続される。そして、Ｉ／Ｆ３０４は、ネットワーク３３０と内部のインターフェースを司り、外部装置からのデータの入出力を制御する。Ｉ／Ｆ３０４には、例えばモデムやＬＡＮアダプタなどを採用することができる。
【００４２】
アクティブタグＡＴは、制御回路３０５と、メモリ３０６と、通信Ｉ／Ｆ３０７と、を備えている。また、各構成部はバス３２０によってそれぞれ接続されている。
【００４３】
ここで、制御回路３０５は、アクティブタグＡＴの全体の制御を司る。メモリ３０６は、プログラムを記憶している。また、メモリ３０６は、タグ情報を記憶している。メモリ３０６は、ワークエリアとして使用される。
【００４４】
通信Ｉ／Ｆ３０７は、アンテナの通信圏Ｅ内にある外部装置との無線通信をおこなう。そして、通信Ｉ／Ｆ３０７は、外部装置からのデータの入出力を制御する。
【００４５】
（タグ情報の内容）
ここで、図４を用いて、図３に示したメモリ３０６に記憶されているタグ情報の内容について説明する。
【００４６】
図４は、タグ情報の内容を示す説明図である。図４において、タグ情報は、位置名項目を有する。ここで、位置名項目には、アクティブタグＡＴの位置を示す位置情報が記憶されている。例えば、位置情報としては、施設名称を採用できる。施設名称とは、例えば、「Ａ駅」である。また、位置情報は、移動体１００の移動に伴ってアクティブタグＡＴが移動するごとに更新される。例えば、移動体１００が「Ａ駅」から「Ｂ駅」に移動した場合は、情報提供装置１１０により位置情報「Ｂ駅」が取得され、タグ情報が更新される。
【００４７】
位置情報は、例えば、情報提供装置１１０がＧＰＳ（Ｇｌｏｂａｌ  Ｐｏｓｉｔｉｏｎｉｎｇ  Ｓｙｓｔｅｍ）により測位した座標から求めることができる。また、位置情報は、情報提供装置１１０が移動体１００の近傍の基地局ＢＳを検出して求めてもよいし、移動体１００の運行情報（例えば、列車の時刻表）を参照して求めてもよい。
【００４８】
さらに、位置名項目には、位置情報に加えて、移動体１００内におけるアクティブタグＡＴの配置場所を示す配置情報を記憶してもよい。例えば、移動体１００が複数両編成の列車である場合には、配置情報としては、アクティブタグＡＴの配置された列車の識別番号、アクティブタグＡＴの配置された号車番号、アクティブタグＡＴの配置された車両内のエリアを採用できる。
【００４９】
配置情報を含む場合の位置名は、例えば、「Ａ駅の列車ＸＸＸの１両目の２番ドア付近」である。また、移動体１００が「Ａ駅」から「Ｂ駅」に移動した場合は、位置名は、「Ｂ駅の列車ＸＸＸの１両目の２番ドア付近」に更新される。
【００５０】
（携帯端末ＭＴのハードウェア構成例）
図５は、実施の形態にかかる携帯端末ＭＴのハードウェア構成例を示すブロック図である。図５において、携帯端末ＭＴは、ＣＰＵ５０１と、ＲＯＭ５０２と、ＲＡＭ５０３と、Ｉ／Ｆ５０４と、ディスプレイ５０５と、キーボード５０６と、を備えている。また、各構成部はバス５１０によってそれぞれ接続されている。
【００５１】
ここで、ＣＰＵ５０１は、携帯端末ＭＴの全体の制御を司る。ＲＯＭ５０２は、ブートプログラムなどのプログラムを記憶している。ＲＡＭ５０３は、ＣＰＵ５０１のワークエリアとして使用される。また、ＲＡＭ５０３は、アクティブタグＡＴから受信したタグ情報または移動履歴を記憶している。
【００５２】
Ｉ／Ｆ５０４は、基地局ＢＳとの電波の送受信を制御し、ＬＡＮ、ＷＡＮ、インターネットなどのネットワーク５２０に接続され、このネットワーク５２０を介して他の装置に接続される。そして、Ｉ／Ｆ５０４は、ネットワーク５２０と内部のインターフェースを司り、外部装置からのデータの入出力を制御する。
【００５３】
ディスプレイ５０５は、カーソル、アイコンあるいはツールボックスをはじめ、文書、画像、機能情報などのデータを表示する。このディスプレイ５０５は、例えば、ＣＲＴ、ＴＦＴ液晶ディスプレイ、プラズマディスプレイなどを採用することができる。
【００５４】
キーボード５０６は、文字、数字、各種指示などの入力のためのキーを備え、データの入力をおこなう。また、タッチパネル式の入力パッドやテンキーなどであってもよい。
【００５５】
（移動履歴の内容）
ここで、図６を用いて、図５に示したＲＡＭ５０３に記憶されている移動履歴の内容について説明する。
【００５６】
図６は、移動履歴の内容を示す説明図である。図６において、移動履歴は、旧位置名項目と、新位置名項目と、経過時間項目と、を有し、携帯端末ＭＴの移動ごとにレコードを構成する。
【００５７】
ここで、旧位置名項目には、携帯端末ＭＴが移動前の位置においてアクティブタグＡＴから受信したタグ情報が記憶されている。また、新位置名項目には、携帯端末ＭＴが移動後の位置においてアクティブタグＡＴから受信したタグ情報が記憶されている。タグ情報とは、図４において示したタグ情報であるため説明を省略する。また、経過時間項目には、移動履歴のレコードをサーバＳに送信した時点からの経過時間が記憶されている。
【００５８】
（サーバＳのハードウェア構成例）
図７は、実施の形態にかかるサーバＳのハードウェア構成例を示すブロック図である。図７において、サーバＳは、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、ディスプレイ７０８と、Ｉ／Ｆ７０９と、キーボード７１０と、マウス７１１と、スキャナ７１２と、プリンタ７１３と、を備えている。また、各構成部はバス７２０によってそれぞれ接続されている。
【００５９】
ここで、ＣＰＵ７０１は、サーバＳの全体の制御を司る。ＲＯＭ７０２は、ブートプログラムなどのプログラムを記憶している。ＲＡＭ７０３は、ＣＰＵ７０１のワークエリアとして使用される。また、ＲＡＭ７０３は、位置情報ＤＢ（ＤａｔａＢａｓｅ）と、最新人数テーブルと、を記憶している。
【００６０】
磁気ディスクドライブ７０４は、ＣＰＵ７０１の制御にしたがって磁気ディスク７０５に対するデータのリード／ライトを制御する。磁気ディスク７０５は、磁気ディスクドライブ７０４の制御で書き込まれたデータを記憶する。光ディスクドライブ７０６は、ＣＰＵ７０１の制御にしたがって光ディスク７０７に対するデータのリード／ライトを制御する。光ディスク７０７は、光ディスクドライブ７０６の制御で書き込まれたデータを記憶したり、光ディスク７０７に記憶されたデータをコンピュータに読み取らせたりする。
【００６１】
ディスプレイ７０８は、カーソル、アイコンあるいはツールボックスをはじめ、文書、画像、機能情報などのデータを表示する。このディスプレイ７０８は、例えば、ＣＲＴ、ＴＦＴ液晶ディスプレイ、プラズマディスプレイなどを採用することができる。
【００６２】
Ｉ／Ｆ７０９は、通信回線を通じてＬＡＮ、ＷＡＮ、インターネットなどのネットワーク７１４に接続され、このネットワーク７１４を介して他の装置に接続される。そして、Ｉ／Ｆ７０９は、ネットワーク７１４と内部のインターフェースを司り、外部装置からのデータの入出力を制御する。Ｉ／Ｆ７０９には、例えばモデムやＬＡＮアダプタなどを採用することができる。
【００６３】
キーボード７１０は、文字、数字、各種指示などの入力のためのキーを備え、データの入力をおこなう。また、タッチパネル式の入力パッドやテンキーなどであってもよい。マウス７１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００６４】
スキャナ７１２は、画像を光学的に読み取り、サーバＳ内に画像データを取り込む。なお、スキャナ７１２は、ＯＣＲ（Ｏｐｔｉｃａｌ  Ｃｈａｒａｃｔｅｒ  Ｒｅａｄｅｒ）機能を持たせてもよい。また、プリンタ７１３は、画像データや文書データを印刷する。プリンタ７１３には、例えば、レーザプリンタやインクジェットプリンタを採用することができる。
【００６５】
（位置情報ＤＢの内容）
ここで、図８を用いて、図７に示したＲＡＭ７０３に記憶されている位置情報ＤＢの内容について説明する。
【００６６】
図８は、位置情報ＤＢの内容を示す説明図である。図８において、位置情報ＤＢは、旧位置名項目と、新位置名項目と、経過時間項目と、を有し、携帯端末ＭＴから移動履歴のレコードを受信するごとに、レコードを構成する。
【００６７】
ここで、旧位置名項目、新位置名項目、および経過時間項目には、それぞれ、携帯端末ＭＴから受信した移動履歴のレコードの旧位置名項目、新位置名項目、および経過時間項目の内容が記憶される。各内容は、図６において説明した内容であるため、ここでは説明を省略する。
【００６８】
（最新人数テーブルの内容）
次に、図９を用いて、図７に示したＲＡＭ７０３に記憶されている最新人数テーブルの内容について説明する。
【００６９】
図９は、最新人数テーブルの内容を示す説明図である。図９において、最新人数テーブルは、位置名項目と、人数項目と、を有し、位置名ごとにレコードを構成する。そして、各レコードは、携帯端末ＭＴから移動履歴を受信するごとに更新される。
【００７０】
ここで、位置名項目には、人数を計測する対象となる位置名が記憶されている。位置名項目に記憶される内容は、図４に示した位置名項目と同様であるため、説明を省略する。また、人数項目には、携帯端末ＭＴから受信した移動履歴に基づいて算出した各位置名項目が示す位置における人数が記憶される。ここで、各位置名項目が示す位置における人数は、携帯端末ＭＴから受信した移動履歴に基づいて、各位置名項目が示す位置における携帯端末ＭＴ数を算出して求めることができる。
【００７１】
（情報提供装置１１０の機能的構成例）
次に、情報提供装置１１０の機能的構成例について説明する。図１０は、情報提供装置１１０の機能的構成例を示すブロック図である。情報提供装置１１０は、複数のタグ（例えば、アクティブタグＡＴ）と、取得部１００１と、格納部１００２と、を含む構成である。この制御部となる機能（取得部１００１と格納部１００２）は、具体的には、例えば、図３に示したＲＯＭ３０２、ＲＡＭ３０３などの記憶装置に記憶されたプログラムをＣＰＵ３０１に実行させることにより、または、Ｉ／Ｆ３０４により、その機能を実現する。
【００７２】
取得部１００１は、移動体１００の現在位置情報を取得する機能を有する。具体的には、例えば、取得部１００１は、移動体１００の移動中における現在位置情報を取得する。これにより、移動体１００内の人数に変動がないと解される移動中に現在位置情報を取得しておくことができる。
【００７３】
また、具体的には、例えば、取得部１００１は、移動体１００の停止中における現在位置情報を取得する。これにより、停止場所（例えば、列車の停車駅）に停止中の移動体１００の現在位置情報を取得することができる。
【００７４】
また、具体的には、例えば、取得部１００１は、一定時間ごとに移動体１００の現在位置情報を取得する。これにより、一定時間ごとに移動体１００の最新の現在位置情報を取得することができる。なお、取得部１００１により取得されたデータは、ＲＡＭ３０３などの記憶領域に記憶される。
【００７５】
格納部１００２は、取得部１００１によって取得された現在位置情報を、複数のタグの各々のタグのメモリに格納する機能を有する。これにより、アクティブタグＡＴが送信するメモリ３０６内のデータを更新することができる。
【００７６】
具体的には、例えば、格納部１００２は、取得部１００１によって取得された停止中における現在位置情報を、移動体が停止中から移動中になったときに、複数のアクティブタグＡＴの各々のアクティブタグＡＴのメモリ３０６に格納する。これにより、移動体１００への乗客の乗降が終了した時点でアクティブタグＡＴのメモリ３０６に現在位置情報を更新することができる。
【００７７】
具体的には、例えば、格納部１００２は、取得部１００１によって移動体１００の現在位置情報が取得されるごとに、現在位置情報を複数のアクティブタグＡＴの各々のアクティブタグＡＴのメモリ３０６に格納する。これにより、メモリ３０６内のデータを最新の現在位置情報に更新することができる。
【００７８】
アクティブタグＡＴは、移動体１００内に設けられ、それぞれメモリ内のデータを通信圏Ｅ内にある移動体１００内の通信端末に対して非接触で送信する機能を有する。ここで、メモリ内のデータとは、上述した移動体１００の位置情報を含むタグ情報である。タグ情報は、上述した移動体１００の識別情報やアクティブタグＡＴの配置情報を含んでもよい。通信端末とは、上述した携帯端末ＭＴである。
【００７９】
具体的には、例えば、アクティブタグＡＴは、格納部１００２によって格納された現在位置情報のうちの最新の現在位置情報を含むメモリ３０６内のデータを通信圏Ｅ内にある移動体１００内の携帯端末ＭＴに対して非接触で送信する。これにより、アクティブタグＡＴは、携帯端末ＭＴに移動体の最新の現在位置情報を送信することができる。
【００８０】
（携帯端末ＭＴの機能的構成例）
次に、携帯端末ＭＴの機能的構成例について説明する。図１１は、携帯端末ＭＴの機能的構成例を示すブロック図である。携帯端末ＭＴは、受信部１１０１と、抽出部１１０２と、送信部１１０３と、を含む構成である。この制御部となる機能（受信部１１０１〜送信部１１０３）は、具体的には、例えば、図５に示したＲＯＭ５０２、ＲＡＭ５０３などの記憶装置に記憶されたプログラムをＣＰＵ５０１に実行させることにより、または、Ｉ／Ｆ５０４により、その機能を実現する。
【００８１】
受信部１１０１は、移動体１００内に設けられ、メモリ内のデータを非接触で送信する複数のタグが移動体１００の現在位置情報を送信するごとに、複数のタグのうちのいずれかのタグから移動体１００の現在位置情報を受信する機能を有する。ここで、タグとは、上述したアクティブタグＡＴである。メモリとは、上述したメモリ３０６である。現在位置情報とは、上述したタグ情報内の位置情報であり、識別情報や配置情報を含んでもよい。
【００８２】
具体的には、例えば、受信部１１０１は、移動体１００内のアクティブタグＡＴからタグ情報を受信する。これにより、携帯端末ＭＴの現在位置となる移動体１００の現在位置を示す位置情報を取得できる。また、携帯端末ＭＴが存在する移動体１００を特定する識別情報を取得できる。また、携帯端末ＭＴの移動体１００内での位置を示す配置情報を取得することができる。なお、受信したデータは、ＲＡＭ５０３に記憶される。
【００８３】
抽出部１１０２は、受信部１１０１によって受信された現在位置情報群を記憶する記憶装置から、最新となる第１の現在位置情報と、現在位置情報群から第１の現在位置情報以外の第２の現在位置情報と、を抽出する機能を有する。ここで、記憶装置とは、上述したＲＡＭ５０３である。第１の現在位置情報とは、受信部１１０１によって受信された最新のタグ情報である。第２の現在位置情報とは、最新のタグ情報を受信した受信部１１０１によって、以前に受信されたタグ情報である。
【００８４】
具体的には、例えば、抽出部１１０２は、受信部１１０１によって受信されたタグ情報と、受信部１１０１によって前回受信されたタグ情報とを抽出する。これにより、抽出されたタグ情報から携帯端末ＭＴの移動方向を示す移動履歴を作成することができる。
【００８５】
送信部１１０３は、抽出部１１０２によって抽出された第１の現在位置情報と第２の現在位置情報とを送信する機能を有する。具体的には、例えば、送信部１１０３は、移動履歴をサーバＳに送信する。これにより、携帯端末ＭＴの移動方向を示す移動履歴をサーバＳに送信することができる。
【００８６】
（サーバＳの機能的構成例）
次に、サーバＳの機能的構成例について説明する。図１２は、サーバＳの機能的構成例を示すブロック図である。サーバＳは、受信部１２０１と、算出部１２０２と、出力部１２０３と、特定部１２０４と、を含む構成である。この制御部となる機能（受信部１２０１〜出力部１２０４）は、具体的には、例えば、図７に示したＲＯＭ７０２、ＲＡＭ７０３などの記憶装置に記憶されたプログラムをＣＰＵ７０１に実行させることにより、または、Ｉ／Ｆ７０９により、その機能を実現する。
【００８７】
受信部１２０１は、複数のタグのタグごとに通信圏Ｅ内にある通信端末に送信された移動体１００の現在位置情報を、通信圏Ｅ内にある通信端末から受信する機能を有する。ここで、タグとは、上述したアクティブタグＡＴである。通信端末とは、上述した携帯端末ＭＴである。現在位置情報とは、上述したタグ情報に含まれる位置情報である。具体的には、受信部１２０１は、アクティブタグＡＴからタグ情報を受信した携帯端末ＭＴから、移動体の現在位置を示す位置情報を含むタグ情報を受信する。
【００８８】
また、受信部１２０１は、移動体１００に固有の識別情報、各々のアクティブタグＡＴが配置された移動体１００内の領域を示す配置情報を含むタグ情報を受信する。これにより、各携帯端末ＭＴの位置を示すタグ情報を携帯端末ＭＴ数分受信することができる。
【００８９】
算出部１２０２は、受信部１２０１によって受信された現在位置情報の数に基づいて、移動体１００内の通信端末の数を算出する機能を有する。具体的には、例えば、算出部１２０２は、タグ情報内の位置情報が示す位置ごとに、タグ情報の個数を計測し、計測した個数を携帯端末ＭＴ数として算出する。また、受信した移動履歴から作成した位置情報ＤＢの新位置名項目のタグ情報内の位置情報が示す位置ごとに位置情報ＤＢのレコードの数を計測して携帯端末ＭＴ数を算出してもよい。これにより、移動体１００内の人数を計測できる。
【００９０】
また、具体的には、例えば、算出部１２０２は、特定部１２０４によって特定された移動区間における現在位置情報の数に基づいて、移動体１００内の通信端末の数を算出する。これにより、乗客の乗降がない移動体１００の移動中となる移動区間において携帯端末ＭＴ数を計測して、移動体１００内の人数を算出することができる。
【００９１】
また、算出部１２０２は、受信部１２０１によって受信された移動体１００に固有な識別情報ごとに、現在位置情報の数に基づいて、移動体１００内の携帯端末ＭＴの数を算出する。これにより、タグ情報内の位置情報が示す位置に、移動体１００が複数ある場合でも、タグ情報内の識別情報に基づいて移動体１００ごとに携帯端末ＭＴ数を算出することができる。
【００９２】
また、算出部１２０２は、受信部１２０１によって受信された移動体１００内の領域を示す配置情報ごとに、現在位置情報の数に基づいて、移動体１００内の携帯端末ＭＴの数を算出する。これにより、移動体１００内の携帯端末ＭＴ数を、タグ情報内の配置情報が示す領域ごとに算出することができる。
【００９３】
出力部１２０３は、算出部１２０２によって算出された算出結果を出力する機能を有する。具体的には、例えば、出力部１２０３は、算出された移動体１００内の携帯端末ＭＴ数を、移動体１００内の人数として、プリンタ７１３やディスプレイ７０８に出力する。これにより、移動体１００内の人数をサーバＳのユーザに通知することができる。
【００９４】
特定部１２０４は、移動体１００の現在位置情報ごとに、移動体１００が現在移動している移動区間を特定する機能を有する。具体的には、例えば、特定部１２０４は、移動体１００の運行情報を参照して、タグ情報内の位置情報が示す位置から移動区間を特定する。
【００９５】
（サーバＳによる最新人数テーブルの更新）
次に、図１３を用いて、駅のホームＨ１から移動体１００内のエリアＡ１に乗客が移動した場合を例に挙げて、サーバＳによる最新人数テーブルの更新について説明する。
【００９６】
図１３は、サーバＳによる最新人数テーブルの更新の具体例を示す説明図である。ここでは、エリアＡ１に配置されたアクティブタグＡＴは、タグ情報として「Ａ駅の１号車（以下、単にＡ１とする）」を記憶している。また、ホームＨ１に配置されたアクティブタグＡＴは、タグ情報として「Ａ駅のホーム（以下、単にＨ１とする）」を記憶している。
【００９７】
乗客の移動前では、携帯端末ＭＴは、移動履歴として、新位置名項目にタグ情報「Ｈ１」を記憶し、経過時間項目に「１０」を記憶したレコードを有している。なお、旧位置名項目には、情報は記憶されていない。サーバＳの最新人数テーブルには、乗客の移動前におけるエリアＡ１の人数「０人」と、ホームＨ１の人数「２人」とが記憶されている。
【００９８】
ここで、乗客が駅のホームＨ１から移動体１００内のエリアＡ１に移動すると、携帯端末ＭＴは、タグ情報「Ａ１」を受信し、移動を検出する。そして、移動履歴に記憶されている新位置名項目のタグ情報「Ｈ１」を旧位置名項目に記憶し、受信したタグ情報「Ａ１」を新位置名項目に記憶するあらたな移動履歴を作成する。なお、あらたな移動履歴の経過時間項目には、情報は記憶されていない。そして、携帯端末ＭＴは、移動履歴をサーバＳに送信する。
【００９９】
サーバＳは、移動履歴を受信すると、最新人数テーブルにおいて、移動履歴の旧位置名項目のタグ情報「Ｈ１」が示すホームＨ１の人数を「２人」から「１人」にする。また、サーバＳは、最新人数テーブルにおいて、移動履歴の新位置名項目のタグ情報「Ａ１」が示すエリアＡ１の人数を「０人」から「１人」にする。これにより、移動体１００に乗客が乗車したことを検出して、各位置における人数を計測することができる。
【０１００】
なお、携帯端末ＭＴが移動履歴ではなく携帯端末ＭＴの現在位置でのタグ情報のみを送信する場合、サーバＳは、一定時間ごとに最新人数テーブルの全位置名項目の位置での携帯端末ＭＴ数を計測して、人数項目を更新する。
【０１０１】
（基地局ＢＳの負荷分散）
なお、携帯端末ＭＴからの移動履歴の送信により、基地局ＢＳの負荷が増大する虞がある。図１４を用いて、アクティブタグＡＴの送信時刻の設定により、基地局ＢＳの負荷分散をおこなう場合について説明する。
【０１０２】
図１４は、基地局ＢＳの負荷分散をおこなう場合の具体例を示す説明図である。ここで、携帯端末ＭＴは、アクティブタグＡＴからのタグ情報の受信に伴って、移動履歴を作成して、基地局ＢＳへ移動履歴を送信している。そのため、移動体１００内の全アクティブタグＡＴが同時にタグ情報を送信すると、移動体１００内の全携帯端末ＭＴも同様に基地局ＢＳへ移動履歴を送信することになる。
【０１０３】
（Ａ）に示すように、移動体１００内の各エリアＡ１〜Ａ３の全アクティブタグＡＴが時刻Ｔにタグ情報を送信する場合、携帯端末ＭＴからの移動履歴も同様に時刻Ｔに基地局ＢＳへ送信される。これにより、移動体１００内の携帯端末ＭＴ数の増加に伴って、基地局ＢＳの負荷が増大し、正常にサーバＳへの移動履歴の中継ができなくなる虞がある。例えば、（Ａ）では、基地局ＢＳは、時刻Ｔにおいて、同時に３つの移動履歴を中継する必要が生じる。
【０１０４】
そのため、（Ｂ）に示すように、移動体１００内の複数のアクティブタグＡＴのタグ情報の送信時刻をずらすことにより、携帯端末ＭＴの基地局ＢＳへの移動履歴の送信時刻をずらして、基地局ＢＳの負荷を分散する。
【０１０５】
例えば、（Ｂ）では、エリアＡ１のアクティブタグＡＴは時刻Ｔにタグ情報を送信し、エリアＡ２のアクティブタグＡＴは時刻Ｔ＋１にタグ情報を送信し、エリアＡ３のアクティブタグＡＴは時刻Ｔ＋２にタグ情報を送信する。そのため、基地局ＢＳは、時刻Ｔ、時刻Ｔ＋１、時刻Ｔ＋２のそれぞれの時刻において、１つずつ移動履歴を中継すればよい。このように（Ａ）に比して、基地局ＢＳの負荷を分散することができる。
【０１０６】
（アクティブタグＡＴによる位置情報の更新処理）
次に、図１５を用いて、アクティブタグＡＴによる位置情報の更新処理の詳細について説明する。図１５は、アクティブタグＡＴによる位置情報の更新処理の詳細を示すフローチャートである。
【０１０７】
まず、制御回路３０５は、情報提供装置１１０から移動体１００の位置情報を受信したか否か判定する（ステップＳ１５０１）。ここで、移動体１００の位置情報を受信していない場合（ステップＳ１５０１：Ｎｏ）、ステップＳ１５０１に戻り、制御回路３０５は、移動体１００の位置情報の受信を待つ。
【０１０８】
一方、移動体１００の位置情報を受信した場合（ステップＳ１５０１：Ｙｅｓ）、制御回路３０５は、受信した位置情報が、メモリ３０６に記憶されたタグ情報に含まれる位置情報から変化しているか否かを判定する（ステップＳ１５０２）。ここで、位置情報が変化していない場合（ステップＳ１５０２：Ｎｏ）、位置情報の更新処理を終了する。
【０１０９】
一方、位置情報が変化している場合（ステップＳ１５０２：Ｙｅｓ）、制御回路３０５は、タグ情報に含まれる位置情報を、受信した位置情報に書き換えて（ステップＳ１５０３）、位置情報の更新処理を終了する。これにより、アクティブタグＡＴは、移動体１００の位置情報を更新して、常に最新の位置情報を保持しておくことができる。
【０１１０】
（アクティブタグＡＴによる位置情報の再集計処理）
次に、図１６を用いて、アクティブタグＡＴによる位置情報の再集計処理の詳細について説明する。図１６は、アクティブタグＡＴによる位置情報の再集計処理の詳細を示すフローチャートである。
【０１１１】
まず、制御回路３０５は、タグ情報の書き換えがあってからの経過時間を測定し、一定時間が経過したか否かを判定する（ステップＳ１６０１）。ここで、一定時間が経過していない場合（ステップＳ１６０１：Ｎｏ）、位置情報の再集計処理を終了する。
【０１１２】
一方、一定時間が経過した場合（ステップＳ１６０１：Ｙｅｓ）、制御回路３０５は、情報提供装置１１０に移動体１００の位置情報を問い合わせて、タグ情報を書き換えて（ステップＳ１６０２）、位置情報の再集計処理を終了する。これにより、制御回路３０５は、記憶されているタグ情報が古い情報である場合に、あらたな位置情報を受信して、タグ情報を書き換えることができる。
【０１１３】
（携帯端末ＭＴによる移動履歴の送信処理）
次に、図１７を用いて、携帯端末ＭＴによる移動履歴の送信処理の詳細について説明する。図１７は、携帯端末ＭＴによる移動履歴の送信処理の詳細を示すフローチャートである。
【０１１４】
まず、ＣＰＵ５０１は、移動履歴のレコードを初期化し、タイマによる計時を開始する（ステップＳ１７０１）。次に、ＣＰＵ５０１は、カウンタ値Ｎを初期化する（ステップＳ１７０２）。
【０１１５】
そして、ＣＰＵ５０１は、カウンタ値Ｎと閾値Ｘとを比較し、カウンタ値Ｎが閾値Ｘより大きいか否かを判定する（ステップＳ１７０３）。ここで、カウンタ値Ｎが閾値Ｘより大きい場合（ステップＳ１７０３：Ｙｅｓ）、移動履歴の送信処理を終了する。
【０１１６】
一方、カウンタ値Ｎが閾値Ｘ以下である場合（ステップＳ１７０３：Ｎｏ）、ＣＰＵ５０１は、アクティブタグＡＴからタグ情報を受信したか否かを判定する（ステップＳ１７０４）。ここで、タグ情報を受信していない場合（ステップＳ１７０４：Ｎｏ）、ＣＰＵ５０１は、カウンタ値Ｎに１を加算して（ステップＳ１７０５）、ステップＳ１７０３に戻る。
【０１１７】
一方、タグ情報を受信した場合（ステップＳ１７０４：Ｙｅｓ）、ＣＰＵ５０１は、受信したタグ情報内の位置情報を抽出する。（ステップＳ１７０６）。そして、ＣＰＵ５０１は、抽出した位置情報が示す位置が、移動履歴の最新の位置から変化しているか否かを判定する（ステップＳ１７０７）。ここで、変化していない場合（ステップＳ１７０７：Ｎｏ）、ステップＳ１７０２に戻る。
【０１１８】
一方、変化している場合（ステップＳ１７０７：Ｙｅｓ）、ＣＰＵ５０１は、移動履歴の最新の位置を旧位置とし、抽出した位置情報が示す位置を新位置とするあらたなレコードを作成する（ステップＳ１７０８）。そして、ＣＰＵ５０１は、移動履歴の全レコードをサーバＳに送信する（ステップＳ１７０９）。
【０１１９】
次に、ＣＰＵ５０１は、正常に送信完了したか否かを判定する（ステップＳ１７１０）。ここで、正常に送信完了した場合（ステップＳ１７１０：Ｙｅｓ）、ＣＰＵ５０１は、最新のレコード以外のレコードを削除して（ステップＳ１７１１）、ステップＳ１７１４に移行する。
【０１２０】
一方、正常に送信完了しなかった場合（ステップＳ１７１０：Ｎｏ）、ＣＰＵ５０１は、最新のレコードに経過時間が記憶されているか否かを判定する（ステップＳ１７１２）。ここで、経過時間が記憶されていない場合（ステップＳ１７１２：Ｎｏ）、ＣＰＵ５０１は、計時中のタイマの値を経過時間としてレコードにセットして（ステップＳ１７１３）、ステップＳ１７１４に移行する。
【０１２１】
一方、経過時間が記憶されている場合（ステップＳ１７１２：Ｙｅｓ）、ステップＳ１７１４に移行する。そして、ＣＰＵ５０１は、タイマに再度計時を開始させて（ステップＳ１７１４）、ステップＳ１７０２に戻る。
【０１２２】
これにより、携帯端末ＭＴは、アクティブタグＡＴから受信したタグ情報に変化があった場合に、変化前後のタグ情報をサーバＳに送信することができる。
【０１２３】
（サーバＳによる最新人数テーブルの更新処理）
次に、図１８を用いて、サーバＳによる最新人数テーブルの更新処理の詳細について説明する。図１８は、サーバＳによる最新人数テーブルの更新処理の詳細を示すフローチャートである。
【０１２４】
まず、ＣＰＵ７０１は、携帯端末ＭＴからレコードを受信したか否かを判定する（ステップＳ１８０１）。ここで、レコードを受信していない場合（ステップＳ１８０１：Ｎｏ）、ステップＳ１８０１に戻り、ＣＰＵ７０１は、レコードの受信を待つ。
【０１２５】
一方、レコードを受信した場合（ステップＳ１８０１：Ｙｅｓ）、ＣＰＵ７０１は、位置情報ＤＢに受信したレコードを登録する（ステップＳ１８０２）。そして、ＣＰＵ７０１は、最新人数テーブルの新位置に記載の人数に１人加算する（ステップＳ１８０３）。
【０１２６】
次に、ＣＰＵ７０１は、最新人数テーブルの旧位置に記載の人数から１人減算する（ステップＳ１８０４）。そして、最新人数テーブルの更新処理を終了する。これにより、サーバＳは、最新人数テーブルの各位置における人数を、移動体１００内に存在する最新の人数に更新することができる。
【０１２７】
以上説明したように、移動体１００内の複数のアクティブタグＡＴが、逐次位置情報を更新し、更新した位置情報を携帯端末ＭＴを介してサーバＳに送信する。これにより、サーバＳは、各位置情報が示す位置における移動体１００内の携帯端末ＭＴ数を計測して、移動体１００内の人数を計測でき、移動体１００の混雑状況を把握できる。また、位置情報を逐次更新するため、リアルタイムの混雑状況を把握することができる。
【０１２８】
また、アクティブタグＡＴが、移動体１００の移動中に位置情報を更新して、更新した位置情報を携帯端末ＭＴを介してサーバＳに送信することにより、サーバＳは、移動体１００内の人数の変動がないと解される移動中の人数を計測することができる。
【０１２９】
ここで、アクティブタグＡＴは、通信圏Ｅ内が狭いため、狭いエリアごとの人数を正確に計測することができる。また、アクティブタグＡＴを移動体１００の床面Ｆに設置したため、乗客のポケットや鞄にある携帯端末ＭＴが通信圏Ｅ内に入りやすくなっている。
【０１３０】
また、アクティブタグＡＴが、停止場所（例えば、列車の停車駅）に停止中の移動体１００の位置情報を更新し、移動体１００が移動をはじめたときに更新した位置情報をサーバＳに送信する。そのため、サーバＳでは、乗客の乗降が終了した時点での移動体１００内の人数を計測できる。
【０１３１】
また、移動体１００内の複数のアクティブタグＡＴが、位置情報に加えて、移動体１００の識別情報を携帯端末ＭＴを介してサーバＳに送信することにより、サーバＳは、各位置情報が示す位置に複数の移動体１００が存在する場合に、移動体１００ごとの携帯端末ＭＴ数を計測することができる。具体的には、例えば、サーバＳは、位置情報が示す駅において、多数の路線および上り下りの列車が存在する場合であっても、各列車を区別して、列車ごとの人数を計測することができる。
【０１３２】
また、移動体１００内の複数のアクティブタグＡＴが、位置情報に加えて、アクティブタグＡＴが配置された領域を示す配置情報を携帯端末ＭＴを介してサーバＳに送信することにより、移動体１００内の携帯端末ＭＴ数を、領域ごとに詳細に計測することができる。具体的には、例えば、サーバＳは、配置情報が示す号車番号に基づいて、列車の号車ごとに、人数を計測することができ、号車ごとの混雑状況を把握することができる。
【０１３３】
また、具体的には、例えば、サーバＳは、配置情報が示す領域に基づいて、列車内の領域ごとの人数を計測することができ、領域ごとの混雑状況（例えば、何号車の何ドア目が混雑しているか）を把握することができる。
【０１３４】
また、携帯端末ＭＴが、移動前の位置におけるタグ情報と移動後の位置におけるタグ情報とを含む移動履歴をサーバＳに送信することにより、サーバＳは携帯端末ＭＴを所有する乗客の移動方向を計測することができる。また、携帯端末ＭＴが送信する移動履歴に移動に要した経過時間を含むことにより、サーバＳは乗客の移動方向と移動時間とを計測することができる。
【０１３５】
また、アクティブタグＡＴは、携帯端末ＭＴを介して、サーバＳと通信をおこなうため、情報収集に必要なネットワークを構築する費用を抑えることができる。また、複数のアクティブタグＡＴが携帯端末ＭＴへの位置情報の送信時刻をそれぞれずらすことにより、基地局ＢＳの負荷を減らすことができる。
【０１３６】
そして、サーバＳのユーザは、把握された混雑状況に基づいて、乗客に混雑回避の経路を提供することができ、結果として、混雑を緩和させることができる。また、サーバＳのユーザは、混雑状況から危険予測をおこない、事故を防止することができる。具体的には、例えば、混雑状況に基づいて、駅構内への入場制限をおこなう事例が挙げられる。
【０１３７】
また、サーバＳのユーザは、把握された混雑状況を監視カメラを用いた画像監視システムと連携させることにより、特に混雑している場所を自動的に選択して表示させることができ、画像監視システムの効率化を図ることができる。
【０１３８】
また、サーバＳのユーザは、把握された混雑状況に基づいて、特に混雑している場所に、経路案内や乗客の整理をおこなう人員を多く配置するといった対策をおこなうことができる。さらに、サーバＳのユーザは、把握された混雑状況に基づいて、移動体１００の運行予定の検討（例えば、列車ダイヤの改正）や、移動体１００近辺への設置施設の検討（例えば、監視カメラ、エレベータ、または広告の設置場所の検討）をおこなうことができる。
【０１３９】
なお、本実施の形態で説明した情報提供方法、情報収集方法および通信方法は、予め用意されたプログラムをパーソナル・コンピュータやワークステーション等のコンピュータで実行することにより実現することができる。本情報提供プログラム、情報収集プログラムおよび通信プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本情報提供プログラム、情報収集プログラムおよび通信プログラムは、インターネット等のネットワークを介して配布してもよい。
【０１４０】
上述した実施の形態に関し、さらに以下の付記を開示する。
【０１４１】
（付記１）移動体内に設けられ、それぞれメモリ内のデータを通信圏内にある前記移動体内の通信端末に対して非接触で送信する複数のタグと、（ＡＴ）
前記移動体の現在位置情報を取得する取得手段と、（１００１）
前記取得手段によって取得された現在位置情報を、前記複数のタグの各々のタグのメモリに格納する格納手段と、（１００２）
を備えることを特徴とする情報提供装置。（１，図３，図４，図１０，図１５，図１６）
【０１４２】
（付記２）前記取得手段は、（１００１）
前記移動体の移動中における現在位置情報を取得することを特徴とする付記１に記載の情報提供装置。（図３，図４，図１０）
【０１４３】
（付記３）前記取得手段は、（１００１）
前記移動体の停止中における現在位置情報を取得し、
前記格納手段は、（１００２）
前記取得手段によって取得された前記停止中における現在位置情報を、前記移動体が前記停止中から移動中になったときに、前記複数のタグの各々のタグのメモリに格納することを特徴とする付記１または２に記載の情報提供装置。（図３，図４，図１０）
【０１４４】
（付記４）前記取得手段は、（１００１）
一定時間ごとに前記移動体の現在位置情報を取得し、
前記格納手段は、（１００２）
前記取得手段によって前記移動体の現在位置情報が取得されるごとに、前記現在位置情報を前記複数のタグの各々のタグのメモリに格納し、
前記複数のタグは、（ＡＴ）
前記格納手段によって格納された現在位置情報のうちの最新の現在位置情報を含む前記メモリ内のデータを通信圏内にある前記移動体内の通信端末に対して非接触で送信することを特徴とする付記１に記載の情報提供装置。（２，図３，図４，図１０）
【０１４５】
（付記５）前記複数のタグの各々のタグのメモリには、前記移動体に固有の識別情報が格納されていることを特徴とする付記１〜４のいずれか一つに記載の情報提供装置。（３，図４）
【０１４６】
（付記６）前記複数のタグの各々のタグのメモリには、各々のタグが配置された前記移動体内の領域を示す配置情報が格納されていることを特徴とする付記１〜５のいずれか一つに記載の情報提供装置。（４，図４）
【０１４７】
（付記７）移動体内に設けられ、それぞれメモリ内のデータを通信圏内にある前記移動体内の通信端末に対して非接触で送信する複数のタグと、前記移動体の現在位置情報を取得する取得手段と、前記取得手段によって取得された現在位置情報を、前記複数のタグの各々のタグのメモリに格納する格納手段と、を備える情報提供装置を有する前記移動体についての情報を収集する情報収集装置であって、
前記複数のタグのタグごとに前記通信圏内にある前記通信端末に送信された前記移動体の前記現在位置情報を、前記通信圏内にある前記通信端末から受信する受信手段と、（１１０１）
前記受信手段によって受信された前記現在位置情報の数に基づいて、前記移動体内の前記通信端末の数を算出する算出手段と、（１１０２）
前記算出手段によって算出された算出結果を出力する出力手段と、（１１０３）
を備えることを特徴とする情報収集装置。（５，図７〜図９，図１２，図１３，図１８）
【０１４８】
（付記８）前記移動体の前記現在位置情報ごとに、前記移動体が現在移動している移動区間を特定する特定手段を備え、（１１０４）
前記算出手段は、（１１０３）
前記特定手段によって特定された移動区間における前記現在位置情報の数に基づいて、前記移動体内の前記通信端末の数を算出することを特徴とする付記７に記載の情報収集装置。（図７〜図９）
【０１４９】
（付記９）前記受信手段は、（１１０１）
前記複数のタグの各々のタグのメモリに前記移動体に固有の識別情報が記憶されている場合、前記複数のタグのタグごとに前記通信圏内にある前記通信端末に送信された前記移動体の前記現在位置情報および前記移動体に固有の識別情報を、前記通信圏内にある前記通信端末から受信し、
前記算出手段は、（１１０３）
前記受信手段によって受信された前記移動体に固有な識別情報ごとに、前記現在位置情報の数に基づいて、前記移動体内の前記通信端末の数を算出することを特徴とする付記７に記載の情報収集装置。（６，図７〜図９，図１２，図１３）
【０１５０】
（付記１０）前記受信手段は、（１１０１）
前記複数のタグの各々のタグのメモリに各々のタグが配置された前記移動体内の領域を示す配置情報が記憶されている場合、前記複数のタグのタグごとに前記通信圏内にある前記通信端末に送信された前記移動体の前記現在位置情報および前記移動体内の領域を示す配置情報を、前記通信圏内にある前記通信端末から受信し、
前記算出手段は、（１１０３）
前記受信手段によって受信された前記移動体内の領域を示す配置情報ごとに、前記現在位置情報の数に基づいて、前記移動体内の前記通信端末の数を算出することを特徴とする付記７に記載の情報収集装置。（７，図７〜図９，図１２，図１３）
【０１５１】
（付記１１）移動体内に設けられ、メモリ内のデータを非接触で送信する複数のタグが前記移動体の現在位置情報を送信するごとに、前記複数のタグのうちのいずれかのタグから前記移動体の現在位置情報を受信する受信手段と、（１２０１）
前記受信手段によって受信された現在位置情報群を記憶する記憶装置から、最新となる第１の現在位置情報と、前記現在位置情報群から前記第１の現在位置情報以外の第２の現在位置情報と、を抽出する抽出手段と、（１２０２）
前記抽出手段によって抽出された前記第１の現在位置情報と前記第２の現在位置情報とを送信する送信手段と、（１２０３）
を備えることを特徴とする通信端末。（８，図５，図６，図１１，図１３，図１７）
【０１５２】
（付記１２）移動体内に設けられ、それぞれメモリ内のデータを通信圏内にある前記移動体内の通信端末に対して非接触で送信する複数のタグ（ＡＴ）を備える情報提供装置が、
前記移動体の現在位置情報を取得する取得工程と、（１００１）
前記取得工程によって取得された現在位置情報を、前記複数のタグの各々のタグのメモリに格納する格納工程と、（１００２）
を実行することを特徴とする情報提供方法。（９，図３，図４，図１０，図１５，図１６）
【０１５３】
（付記１３）移動体内に設けられ、それぞれメモリ内のデータを通信圏内にある前記移動体内の通信端末に対して非接触で送信する複数のタグと、前記移動体の現在位置情報を取得する取得手段と、前記取得手段によって取得された現在位置情報を、前記複数のタグの各々のタグのメモリに格納する格納手段と、を備える情報提供装置を有する前記移動体についての情報を収集する情報収集装置が、
前記複数のタグのタグごとに前記通信圏内にある前記通信端末に送信された前記移動体の前記現在位置情報を、前記通信圏内にある前記通信端末から受信する受信工程と、（１１０１）
前記受信工程によって受信された前記現在位置情報の数に基づいて、前記移動体内の前記通信端末の数を算出する算出工程と、（１１０２）
前記算出工程によって算出された算出結果を出力する出力工程と、（１１０３）
を実行することを特徴とする情報収集方法。（１０，図７〜図９，図１２，図１３，図１８）
【０１５４】
（付記１４）コンピュータが、
移動体内に設けられ、メモリ内のデータを非接触で送信する複数のタグが前記移動体の現在位置情報を送信するごとに、前記複数のタグのうちのいずれかのタグから前記移動体の現在位置情報を受信する受信工程と、（１２０１）
前記受信工程によって受信された現在位置情報群を記憶する記憶装置から、最新となる第１の現在位置情報と、前記現在位置情報群から前記第１の現在位置情報以外の第２の現在位置情報と、を抽出する抽出工程と、（１２０２）
前記抽出工程によって抽出された前記第１の現在位置情報と前記第２の現在位置情報とを送信する送信工程と、（１２０３）
を実行することを特徴とする通信方法。（１１，図５，図６，図１１，図１３，図１７）
【０１５５】
（付記１５）移動体内に設けられ、それぞれメモリ内のデータを通信圏内にある前記移動体内の通信端末に対して非接触で送信する複数のタグ（ＡＴ）を備える情報提供装置に、
前記移動体の現在位置情報を取得する取得工程と、（１００１）
前記取得工程によって取得された現在位置情報を、前記複数のタグの各々のタグのメモリに格納する格納工程と、（１００２）
を実行させることを特徴とする情報提供プログラム。（１２，図３，図４，図１０，図１５，図１６）
【０１５６】
（付記１６）移動体内に設けられ、それぞれメモリ内のデータを通信圏内にある前記移動体内の通信端末に対して非接触で送信する複数のタグと、前記移動体の現在位置情報を取得する取得手段と、前記取得手段によって取得された現在位置情報を、前記複数のタグの各々のタグのメモリに格納する格納手段と、を備える情報提供装置を有する前記移動体についての情報を収集する情報収集装置に、
前記複数のタグのタグごとに前記通信圏内にある前記通信端末に送信された前記移動体の前記現在位置情報を、前記通信圏内にある前記通信端末から受信する受信工程と、（１１０１）
前記受信工程によって受信された前記現在位置情報の数に基づいて、前記移動体内の前記通信端末の数を算出する算出工程と、（１１０２）
前記算出工程によって算出された算出結果を出力する出力工程と、（１１０３）
を実行させることを特徴とする情報収集プログラム。（１３，図７〜図９，図１２，図１３，図１８）
【０１５７】
（付記１７）移動体内に設けられ、メモリ内のデータを非接触で送信する複数のタグが前記移動体の現在位置情報を送信するごとに、前記複数のタグのうちのいずれかのタグから前記移動体の現在位置情報を受信する受信工程と、（１２０１）
前記受信工程によって受信された現在位置情報群を記憶する記憶装置から、最新となる第１の現在位置情報と、前記現在位置情報群から前記第１の現在位置情報以外の第２の現在位置情報と、を抽出する抽出工程と、（１２０２）
前記抽出工程によって抽出された前記第１の現在位置情報と前記第２の現在位置情報とを送信する送信工程と、（１２０３）
をコンピュータに実行させることを特徴とする通信プログラム。（１４，図５，図６，図１１，図１３，図１７）
【符号の説明】
【０１５８】
１００  移動体
１１０  情報提供装置
ＡＴ  アクティブタグ
ＭＴ  携帯端末
Ｓ  サーバ
１００１  取得部
１００２  格納部
１１０１  受信部
１１０２  抽出部
１１０３  送信部
１２０１  受信部
１２０２  算出部
１２０３  出力部
１２０４  特定部
【図１】
0006010878.tif 000002
【図２】
0006010878.tif 000003
【図３】
0006010878.tif 000004
【図４】
0006010878.tif 000005
【図５】
0006010878.tif 000006
【図６】
0006010878.tif 000007
【図７】
0006010878.tif 000008
【図８】
0006010878.tif 000009
【図９】
0006010878.tif 000010
【図１０】
0006010878.tif 000011
【図１１】
0006010878.tif 000012
【図１２】
0006010878.tif 000013
【図１３】
0006010878.tif 000014
【図１４】
0006010878.tif 000015
【図１５】
0006010878.tif 000016
【図１６】
0006010878.tif 000017
【図１７】
0006010878.tif 000018
【図１８】
0006010878.tif 000019